(57)【特許請求の範囲】
【請求項１】
装置本体と、
前記装置本体の一端側から着脱可能に設けられ、用紙を積載する給紙カセットと、
前記給紙カセットと対向する位置に配置され、給紙カセットから搬送される用紙に画像形成を行う画像形成部と、
前記画像形成部を通過した用紙の表裏を反転させる用紙反転部と、
前記画像形成部と反対側の位置において前記給紙カセットと対向し、かつ、前記用紙反転部で反転された用紙を再搬送経路に沿って再び前記画像形成部に搬送する再搬送部とを備える画像形成装置であって、
前記再搬送部は、前記装置本体の一端側と反対側に位置する他端側から、装置本体部に対して移動可能、かつ着脱可能に設けられ、用紙を案内するための搬送トレイを有し、
前記給紙カセットに設けられるカセット側ローラと前記搬送トレイに設けられるトレイ側ローラとを備え、前記カセット側ローラと前記トレイ側ローラとが互いにニップ及び回転することによって用紙を搬送し、
前記給紙カセット及び前記搬送トレイは、互いに移動することによって、前記カセット側ローラと前記トレイ側ローラとのニップが解除され、
前記装置本体のハウジングの他端側には開口部が設けられ、前記開口部から、前記再搬送部を装置本体に移動可能、かつ着脱可能であり、前記再搬送部の他端は、装着された状態で装置本体のハウジングの一部を構成し、
前記搬送トレイに設けられた搬送トレイ側位置決め部と、前記給紙カセットに設けられた給紙カセット側位置決め部とを有し、前記搬送トレイ側位置決め部と給紙カセット側位置決め部とは、互いに係合することで位置決めされることを特徴とする画像形成装置。
【発明の詳細な説明】
【技術分野】
【０００１】
本発明は、用紙の両面に画像を形成可能な画像形成装置に関する。
【背景技術】
【０００２】
従来、両面印刷が可能な画像形成装置において、再搬送経路の一部が給紙カセットの下部に配置されているものが知られている（特許文献１参照）。具体的には、画像形成部において画像形成された用紙は、定着部、垂直再搬送路、水平再搬送路（給紙カセット下部の再搬送経路）及び再搬送路を経て、再び画像形成部へと搬送される。また、画像形成装置における一端側から給紙カセットを引き出すことが可能であり、水平再搬送経路におけるジャム用紙は、給紙カセットを引き出した空間から取り除くことができる。
【先行技術文献】
【特許文献】
【０００３】
【特許文献１】特開平１１−２４６１３２号公報
【発明の概要】
【発明が解決しようとする課題】
【０００４】
上述の画像形成装置は、水平再搬送路において用紙が詰まった場合、ユーザは一端側から給紙カセットを引き出すことでジャム用紙を取り除くことができる。ここで、用紙が一端側（例えば前側）付近で詰まっていた場合、ユーザは前側から少し手を入れるだけで、簡単にジャム用紙にアクセスすることができる。一方、他端側（例えば後側）付近で用紙が詰まっていた場合、ユーザは前側から奥深くまで手を入れて、後側にあるジャム用紙を取り除かなくてはならない。特に水平再搬送経路は、画像形成装置の前側から後側にわたって（前後方向にわたって）長く形成されていることが多く、後側にあるジャム用紙は、前側から手を入れても取り除きにくいという問題点がある。
【０００５】
そこで、本発明は、給紙カセット下部の再搬送経路において、一端側及び他端側の両方からジャム用紙を取り除くことができる画像形成装置を提供することを目的とする。
【課題を解決するための手段】
【０００６】
前記課題を解決する本発明は、装置本体と、装置本体の一端側から着脱可能に設けられ、用紙を積載する給紙カセットと、給紙カセットと対向する位置に配置され、給紙カセットから搬送される用紙に画像形成を行う画像形成部と、画像形成部を通過した用紙の表裏を反転させる用紙反転部と、画像形成部と反対側の位置において給紙カセットと対向し、かつ、用紙反転部で反転された用紙を再搬送経路に沿って再び画像形成部に搬送する再搬送部とを備える画像形成装置であって、再搬送部は、装置本体の一端側と反対側に位置する他端側から、移動可能、かつ着脱可能に設けられ、用紙を案内するための搬送トレイを有する。前記給紙カセットに設けられるカセット側ローラと前記搬送トレイに設けられるトレイ側ローラとを備え、前記カセット側ローラと前記トレイ側ローラとが互いにニップ及び回転することによって用紙を搬送し、前記給紙カセット及び前記搬送トレイは、互いに移動することによって、前記カセット側ローラと前記トレイ側ローラとのニップが解除される。そして、装置本体のハウジングの他端側には開口部が設けられ、前記開口部から、前記再搬送部を装置本体に移動可能、かつ着脱可能であり、前記再搬送部の他端は、装着された状態で装置本体のハウジングの一部を構成し、前記搬送トレイに設けられた搬送トレイ側位置決め部と、前記給紙カセットに設けられた給紙カセット側位置決め部とを有し、前記搬送トレイ側位置決め部と給紙カセット側位置決め部とは、互いに係合することで位置決めされることを特徴とする。
【発明の効果】
【０００７】
本発明によれば、給紙カセットを一端側から、搬送トレイを他端側から移動かつ着脱させることができるので、再搬送部において紙詰まりをした場合、その紙詰まりの場所に応じて一端側及び他端側のいずれからでも用紙を取り除くことが可能である。また、給紙カセットと搬送トレイとを互いに位置決めしているので、各ローラの搬送力を保持することが可能である。
【図面の簡単な説明】
【０００８】
【図１】第１の実施の形態の画像形成装置の概略断面図である。
【図２】第１の実施の形態の画像形成装置に係り、再搬送部を示す斜視図である。（蓋体が取り外された状態を示す）
【図３】第１の実施の形態の画像形成装置に係り、再搬送部を示す斜視図である（蓋体が組み付けられた状態を示す）。
【図４】第１の実施の形態の画像形成装置に係り、給紙カセットを取り外した概略断面図（ａ）、搬送トレイを後方へ引き出した概略断面図（ｂ）である。
【図５】第２の実施の形態の画像形成装置の概略断面図である。
【図６】第２の実施の形態の画像形成装置に係り、給紙カセットを取り外した概略断面図（ａ）、搬送トレイを後方へ引き出した概略断面図（ｂ）である。
【図７】第２の実施の形態の画像形成装置に係り、給紙カセット側位置決め部及び搬送トレイ側位置決め部を示した概略断面図である。
【発明を実施するための形態】
【０００９】
以下、本発明を具体化した実施の形態を図面を参照しつつ説明する。ここで、図１において、前後方向及び上下方向を図中に示すように規定するとともに、紙面手前側を左側として規定し、紙面奥側を右側として規定する。そして、図２〜図７に示す前後、左右及び上下の各方向は、全て図１において規定する各方向に対応させて表示する。
【００１０】
（第１の実施の形態）
図１に基づいて、第１の実施の形態の画像形成装置としてのプリンタ１の構成について説明する。
１．ハウジング
ハウジング７０（請求項に記載の装置本体に相当）は、略箱状体であり、その内側にはフレーム部材（図示せず。）が設けられている。このフレーム部材には、給紙カセット５５、フィーダ部８０、画像形成部５０、搬送機構６０、用紙反転部４１及び再搬送部３０等が組み付けられている。画像形成部５０はハウジング７０の略中央に位置し、給紙カセット５５は画像形成部５０の下方に位置し、再搬送部３０は給紙カセット５５の下方に位置する。
【００１１】
ハウジング７０の上面側には、画像形成を終えてハウジング７０の外部に排出される用紙やＯＨＰシート等（以下、単に用紙という。）が載置される排紙トレイ７２が設けられている。
ハウジング７０の後面側下方には、後側開口部７４が設けられている。この後側開口部７４から、再搬送部３０をハウジング７０内に装着したり、再搬送部３０をハウジング７０から取り外すことができる。（後に詳細を述べる。）
【００１２】
２．給紙カセット
給紙カセット５５は、上方が開放された用紙収納室５５ａを有する略箱状体である。用紙収納室５５ａの底部前方には、押圧板５６が配設されている。押圧板５６の前端側は、上下に揺動可能となっている。用紙を画像形成部５０に給紙する際には、押圧板５６が揺動して、用紙収納室５５ａ内に収容された用紙の前端側を押し上げ、上方の給紙ローラ８１に用紙を押し付ける。また、用紙収納室５５ａ内には、左右方向で対向する１対の幅方向ガイド板５７ａ、５７ｂが設けられている。幅方向ガイド板５７ａ、５７ｂは、それぞれ用紙の幅方向の両端側に当接しており、用紙の幅方向における中央を基準として、搬送される用紙を位置決めする。以下では、用紙を幅方向の一端側で位置決めすることなく、用紙の幅方向における中央を基準に位置決めして搬送することを「センターレジ送り」と呼ぶことにする。
【００１３】
また、ハウジング７０の前面側下方には、前側開口部７１が設けられている。この給紙カセット５５は、ハウジング７０の前面側から前後方向に移動させることにより、給紙カセット５５をハウジング７０内に装着したり、ハウジング７０から取り外すことができる。（後に詳細を述べる。）
【００１４】
３．フィーダ部
フィーダ部８０は、給紙ローラ８１、搬送ローラ８２、レジストローラ８４等を有している。
【００１５】
給紙ローラ８１は、給紙カセット５５の前端側上方に設けられて、給紙カセット５５に載置された用紙を画像形成部５０に搬送する。給紙ローラ８１の前側下方には、用紙に所定の搬送抵抗を与えることによって、給紙ローラ８１により給紙される用紙を１枚毎に分離する分離パッド（図示せず。）が配設されている。
搬送ローラ８２は、ハウジング７０内の前方側にてＵターンして画像形成部５０に搬送される用紙の搬送経路Ｐ１のうち、前方の略Ｕ字状に転向する部位に配置されている。搬送ローラ８２は、略Ｕ字状に湾曲しながら画像形成部５０に搬送される用紙に搬送力を与える。
【００１６】
レジストローラ８４は、搬送ローラ８２よりも搬送経路Ｐ１の下流側に配設され、搬送ローラ８２により搬送されてくる用紙の前端に接触することでその用紙の斜行を補正した後、その用紙をさらに画像形成部５０へ向けて搬送する。
【００１７】
搬送ローラ８２は、反転搬送機構４０により表裏が反転された用紙に搬送力を与えて、再び搬送経路Ｐ１に導く。
【００１８】
４．搬送機構
搬送機構６０は、画像形成部５０と連動して回転する駆動ローラ６１と、駆動ローラ６１と離隔した位置に回転可能に配設された従動ローラ６２と、駆動ローラ６１及び従動ローラ６２間に巻き付けられた搬送ベルト６３とを有している。そして、搬送ベルト６３が用紙を載せた状態で回転することにより、給紙カセット５５から搬送されてきた用紙を搬送経路Ｐ１に沿ってセンターレジ送りで搬送して、画像形成部５０の現像トナーカートリッジ５２の下方に送る。
【００１９】
５．画像形成部
画像形成部５０は、実施例１のプリンタ１では電子写真式のものを採用している。なお、本発明の画像形成装置において、電子写真式、サーマル方式、インクジェット方式その他の一般な画像形成方式を採用することができる。画像形成部５０は、カラー印刷が可能な、いわゆるダイレクトタンデム方式のものであり、スキャナ部５１、現像トナーカートリッジ５２及び定着器ユニット５３等を有している。
【００２０】
現像トナーカートリッジ５２は、詳細は図示しないが、ブラック、イエロー、マゼンダ、シアンの４色のトナー（現像剤）に対応し、用紙の搬送方向に沿って直列に並んで配列された４つのカートリッジの集合体である。現像トナーカートリッジ５２は、感光ドラム５２ａ，５２ｂ，５２ｃ，５２ｄや、現像ローラ、帯電器及びトナー収容部等（図示せず。）を有している。
【００２１】
スキャナ部５１は、ハウジング７０内の上部に設けられ、レーザ光源、ポリゴンミラー、ｆθレンズ及び反射鏡等から構成されている。スキャナ部５１は、現像トナーカートリッジ５２内の各感光ドラム５２ａ，５２ｂ，５２ｃ，５２ｄの表面に静電潜像を形成する。
【００２２】
定着ユニット５３は、用紙の搬送経路Ｐ１において感光ドラム５２ａ，５２ｂ，５２ｃ，５２ｄより下流側に配設されている。定着ユニット５３は、加熱ローラ５３ａと加圧ローラ５３ｂとを有している。加熱ローラ５３ａは、用紙の画像形成面側に配設されており、搬送ベルト６３等と同期して回転駆動されて、トナーを加熱しながら用紙に搬送力を付与する。他方、加圧ローラ５３ｂは、用紙を挟んで加熱ローラ５３ａと反対側に配設されており、用紙を加熱ローラ５３ａ側に押圧する。これにより、加圧ローラ５３ｂは、加熱ローラ５３ａに接触する用紙を介して加熱ローラ５３ａから回転力を受けて従動回転する。
【００２３】
加熱ローラ５３ａ及び加圧ローラ５３ｂの後方には、搬送経路Ｐ１に臨む排紙センサ５４が設けられている。後述する用紙の反転搬送時には、この排紙センサ５４によって用紙の後端を検知し、その検知時から所定のタイミングにおいて、排紙ローラ４５ａ，４５ｂを正回転から逆回転させるようにしている。
【００２４】
このような構成である画像形成部５０は、以下のようにして用紙に画像を形成する。すなわち、感光ドラム５２ａ，５２ｂ，５２ｃ，５２ｄの表面は、その回転に伴って、帯電器により一様に正帯電された後、スキャナ部５１から照射されるレーザビームの高速走査により露光される。これにより、感光ドラム５２ａ，５２ｂ，５２ｃ，５２ｄの表面には、用紙に形成すべき画像に対応した静電潜像が形成される。
【００２５】
次いで、トナー収容部からトナーが静電潜像に対応して感光ドラム５２ａ，５２ｂ，５２ｃ，５２ｄの表面に供給され、感光ドラム５２ａ，５２ｂ，５２ｃ，５２ｄの表面上に担持されたトナーが用紙に転写される。そして、トナーが転写された用紙は定着ユニット５３に搬送されて加熱され、トナーが用紙に定着して、画像形成が完了する。
【００２６】
６．反転搬送機構
反転搬送機構４０は、用紙の表裏両面に画像を形成するためのものであり、用紙反転部４１と再搬送部３０とを有している。用紙反転部４１と再搬送部３０とは、定着ユニット５３を通過した用紙がハウジング７０の後面側から給紙カセット５５の下方を経て、フィーダ部８０に戻るように搬送される再搬送経路Ｐ２に沿うように配置されている。
【００２７】
６．１ 用紙反転部
用紙反転部４１は、排紙ローラ４５ａ，４５ｂと、フラッパ４９と、再搬送ローラ４６，４７とガイド４８とを有している。
【００２８】
排紙ローラ４５ａ，４５ｂは対向する１対のローラであり、正方向及び逆方向に回転の切り換えができるように構成されている。排紙ローラ４５ａ，４５ｂは、上記したように、排紙トレイ７２上に用紙を排出する場合には正方向に回転するが、用紙を反転させて再搬送経路Ｐ２に搬送する場合には逆方向に回転する。
【００２９】
フラッパ４９は、搬送経路Ｐ１と再搬送経路Ｐ２との分岐部分に臨むように設けられている。フラッパ４９は、図示しないソレノイドの励磁または非励磁により揺動して、排紙ローラ４５ａ，４５ｂによって反転された用紙の搬送経路を、搬送経路Ｐ１から再搬送経路Ｐ２に切り換える。
【００３０】
再搬送ローラ４６、４７及びガイド４８は、排紙ローラ４５ａ，４５ｂからハウジング７０の最下方に配設される再搬送部３０の後端側まで用紙を搬送することができるように、再搬送経路Ｐ２に沿って上下方向に設けられている。なお、用紙反転部４１でも、用紙をセンターレジ送りで搬送している。
【００３１】
６．２ 再搬送部
再搬送部３０は、図１に示すように、給紙カセット５５の下方に配設され、駆動手段９１によって駆動力が伝達されている。再搬送部３０は、搬送トレイ３１と、第１搬送ローラ３２Ａと、第２搬送ローラ３２Ｂ，３２Ｃと、従動ローラ３６Ａ，３６Ｂ，３６Ｃとを有している。
【００３２】
駆動手段９１は、図１に示すように、搬送トレイ３１とハウジング７０の底部との間に設けられている。駆動手段９１は、それ自体が電動モータを有する構成であってもよいし、搬送機構６０や画像形成部５０等に伝達される駆動力の一部を再搬送部３０に対して分配する構成であってもよい。再搬送部３０を移動させる場合、駆動手段９１は再搬送部３０と係合又は分離する。
【００３３】
搬送トレイ３１は、図２に示すように、ＡＢＳ樹脂等からなる樹脂成形体である。搬送トレイ３１の後端側は、上方に湾曲する形状とされている。搬送トレイ３１の底部には、再搬送経路Ｐ２に沿って前後方向に延びる複数条の案内リブ３１Ａが一体に形成されている。
【００３４】
トレイ３１の底部において各案内リブ３１Ａの左側には、底板３３が装着されている。底板３３の上面も、再搬送経路Ｐ２に沿って前後方向に延びる平面とされている。
【００３５】
図２に示すように、底板３３には、前後方向に並ぶ３個の開口３３Ａ，３３Ｂ，３３Ｃが形成されている。開口３３Ａ，３３Ｂ，３３Ｃからは、内部空間３１Ｂ内の第１、２搬送ローラ３２Ａ，３２Ｂ，３２Ｃの上部が露出している。底板３３の上面の開口３３Ａ，３３Ｂ，３３Ｃよりさらに左側には、幅方向ガイド板３４が前後方向に延在して設けられている。幅方向ガイド板３４は、再搬送経路Ｐ２に沿って用紙が搬送トレイ３１上を搬送される際、用紙の幅方向の一端側に当接して幅方向の位置決めをする（サイドレジ送り）。なお、幅方向ガイド板３４の左側には平歯車２１Ｅが設けられ、平歯車２１Ｅによって第１搬送ローラ３２Ａ、第２搬送ローラ３２Ｂ３，２Ｃは、それぞれ回転駆動力が伝達されている。
【００３６】
図３に示すように、搬送トレイ３１の上方には、ＡＢＳ樹脂等からなる樹脂成形体である蓋体３６、３７が組み付けられている。蓋体３６，３７と、各案内リブ３１Ａ及び底板３３との間には、用紙が通過可能な隙間が確保されている。蓋体３６は、底板３３の上方に位置している。蓋体３６において、開口３３Ａ，３３Ｂ，３３Ｃの上方に位置する部位には、従動ローラ３６Ａ、３６Ｂ、３６Ｃが設けられている。従動ローラ３６Ａ，３６Ｂ，３６Ｃは、第１、２搬送ローラ３２Ａ，３２Ｂ，３２Ｃに対して、一対として上下方向にそれぞれ対向している。
【００３７】
蓋体３６と従動ローラ３６Ａ，３６Ｂ，３６Ｃとの間には、従動ローラ３６Ａ，３６Ｂ，３６Ｃを第１、２搬送ローラ３２Ａ，３２Ｂ，３２Ｃ側に向けて付勢する付勢ばね３６Ｅが配設されている。蓋体３６，３７は、付勢ばね３６Ｅから受ける反力に対抗できるように、肉厚が厚くされたり、補強リブが形成されたりして、剛性が高くされている。
【００３８】
７．再搬送部における紙詰まりの処理
用紙が搬送経路において詰まった場合、ユーザは各自で用紙を取り除く必要がある。以下、再搬送部３０付近における紙詰まりの処理について詳細に述べる。
【００３９】
７．１  再搬送部付近における前方からの処理
図４（ａ）は、再搬送部３０において用紙Ｐ３が前方で詰まった例を示しており、この場合における用紙の処理について説明する。
ユーザが給紙カセット５５をハウジング７０の前側（請求項に記載の一端側に相当）から前方に向かって引き出すと、給紙カセット５５を取り外すことができる（図４（ａ）は、給紙カセット５５を取り外した状態を示す）。このとき、給紙カセット５５の下方に配置されている再搬送部３０は、給紙カセット５５が取り外されることによってその搬送上面が露出する。これによりユーザは、給紙カセット５５を引き出した空間から手を入れて、再搬送部３０にアクセスすることができる。ここで、例えば用紙が搬送トレイ３１において紙詰まりを起こしていた場合、蓋体３６，３７と、各案内リブ３１Ａ及び底板３３との間にある隙間（前方側の隙間）から用紙を前方に引っ張り出すことによって、用紙を取り除くことができる。また、例えば用紙がハウジング７０内におけるフィーダ部８０付近で紙詰まりを起こしていた場合、給紙カセット５５を引き出した空間から手を入れて用紙を下方に引っ張ることで、用紙を取り除くことができる。
【００４０】
７．２  再搬送部付近における後方からの処理
図４（ｂ）は、再搬送部３０において用紙Ｐ３が後方で詰まった例を示しており、この場合における用紙の処理について説明する。
【００４１】
ユーザが搬送トレイ３１をハウジング７０の後側（請求項に記載の他端側に相当）から後方に向かって引き出すと、搬送トレイ３１はその搬送上面がハウジング７０から外部へ露出する（図４（ｂ）は、搬送トレイ３１を少し後方へ引き出した状態を示す）。これによりユーザは、搬送トレイ３１上の用紙Ｐ３にアクセスすることができる。ここで、例えば用紙Ｐ３が搬送トレイ３１において紙詰まりを起こしていた場合、蓋体３６，３７と、各案内リブ３１Ａ及び底板３３との間にある隙間（後方側の隙間）から用紙を後方に引っ張り出すことによって、用紙を取り除くことができる。また、例えば用紙がハウジング７０内におけるガイド４８付近で紙詰まりを起こしていた場合、搬送トレイ３１を後方へ引き出してハウジング７０から完全に取り外し、その空間（後側開口部７４）から手を入れて用紙を下方に引っ張ることで、用紙を取り除くことができる。
【００４２】
第１の実施の形態は、給紙カセット５５を前側から、搬送トレイ３１を後側から引き出すことができるので、再搬送部３０において紙詰まりをした場合、その紙詰まりの場所に応じて前方及び後方のいずれからでも用紙を取り除くことが可能である。換言すると、本発明は給紙カセット５５の下方に再搬送部３０（搬送トレイ３１）が配置されているので、給紙カセット５５を引き出すことによって搬送トレイ３１の搬送上面が露出し、また、搬送トレイ３１を後側へ引き出すことによって、搬送トレイ３１の搬送上面が露出する。これにより、再搬送部３０における紙詰まりを解消することができる。また、給紙カセット５５及び搬送トレイ３１は、それぞれハウジング７０から取り外すことができる（着脱可能に設けられている）ので、再搬送部３０付近（フィーダ部８０やガイド部４８等）で紙詰まりをした場合であっても、用紙を取り除き易い構成になっている。
【００４３】
また、本実施の形態において、第１、２搬送ローラ３２Ａ，３２Ｂ，３２Ｃと、従動ローラ３６Ａ，３６Ｂ，３６Ｃとが、搬送トレイ３１と一体的に移動可能に設けられている。各ローラは、互いに正確なニップ位置を確保する必要があり、このニップ位置がずれると搬送能力が低下する。本実施の形態は、各ローラがニップ位置を確保した状態のまま移動する（一体的に移動する）ので、各ローラが互いに位置ずれすることがない。
【００４４】
（第２の実施の形態）
図５は、本発明における第２の実施の形態の画像形成装置を示している。なお、第２の実施の形態における第１の実施の形態との違いは、再搬送部３０において、従動ローラ３６Ａ、３６Ｂ、３６Ｃ等が給紙カセット５５に設けられている点である。
【００４５】
図５に示すように、給紙カセット５５の下方には、従動ローラ３６Ａ，３６Ｂ，３６Ｃ、付勢ばね、蓋体（図示省略）が設けられている。従動ローラ３６Ａ，３６Ｂ，３６Ｃは、第１搬送ローラ３２Ａ、第２搬送ローラ３２Ｂ，３２Ｃにそれぞれ対向する位置に配置され、搬送トレイ３１に設けられた第１搬送ローラ３２Ａ、第２搬送ローラ３２Ｂ，３２Ｃに接触することで駆動力が伝達され、従動回転するようになっている。なお、従動ローラ３６Ａ、３６Ｂ、３６Ｃは、第１の実施例と同様、付勢手段によって第１搬送ローラ３２Ａ、第２搬送ローラ３２Ｂ，３２Ｃにそれぞれ付勢されている。
【００４６】
図６（ａ）は、本実施の形態において用紙Ｐ３が前方で詰まった例を示しており、この場合における用紙の処理の仕方を説明する。
ユーザが給紙カセット５５をハウジング７０から前方に向かって引き出すと、給紙カセット５５が外れ、搬送トレイ３１の搬送面が露出する（図６（ａ）は、給紙カセット５５を取り外した状態を示す）。このとき、従動ローラ３６Ａ，３６Ｂ，３６Ｃは給紙カセット５５と一体的に外れるので、搬送トレイ３１における第１、２搬送ローラ３２Ａ，３２Ｂ，３２Ｃが露出し、各ローラのニップがそれぞれ開放される。また、蓋体も給紙カセット５５に設けられているので、案内リブ３１Ａ及び底板３３が露出した状態となっている。これによりユーザは、容易に用紙を取り除くことが可能となる。
【００４７】
図６（ｂ）は、本実施の形態において用紙が後方で詰まった例を示しており、この場合における用紙の処理の仕方を説明する。
【００４８】
ユーザが搬送トレイ３１を、後側開口部７３から後方向に移動させると、搬送トレイ３１はその搬送面がハウジング７０から外部へ露出する（図６（ｂ）は、搬送トレイ３１を少し後方へ引き出した状態を示す）。このとき、従動ローラ３６Ａ，３６Ｂ，３６Ｃは給紙カセット５５と一体的にハウジング７０に残留しているので、搬送トレイ３１における第１、２搬送ローラ３２Ａ，３２Ｂ，３２Ｃは露出した状態で取り出される。つまり、搬送トレイ３１が取り出された状態は、ニップが開放されていることになる。また、蓋体も給紙カセット５５に設けられているので、案内リブ３１Ａ及び底板３３が露出した状態となっている。これによりユーザは、容易に用紙を取り除くことが可能となる。
【００４９】
図７は、給紙カセット５５及び搬送トレイ３１の位置決めを表す図である。なお、この図においては詳しい構成は記載しておらず、位置決めに関する構成のみを図示している。
【００５０】
給紙カセット５５は、左方向（紙面手前方向）に突出した給紙カセット側位置決め部１１１，１１２が設けられている。また、給紙カセット５５において、給紙カセット側位置決め部１１１は前側端部付近、給紙カセット側位置決め部１１２は後側端部付近にそれぞれ設けられている。また、給紙カセット５５は、右方向（紙面奥方向）にも同様に、突出した給紙カセット側位置決め部１１１，１１２（図示せず）が設けられている。
【００５１】
搬送トレイ３１は、左右方向（紙面手前方向及び奥方向）に突出した搬送トレイ側位置決め部１０１，１０２がそれぞれ設けられている。また、搬送トレイ３１において、搬送トレイ側位置決め部１０１は前側端部付近、搬送トレイ側位置決め部１０２は後側端部付近にそれぞれ設けられている。搬送トレイ側位置決め部１０１，１０２は、それぞれ『コ』字状になっており、搬送トレイ側位置決め部１０２は、その後側が壁部１０２ａによって塞がれている。
【００５２】
給紙カセット５５が搬送トレイ３１上に挿入されたとき（または、搬送トレイ３１が給紙カセット５５の下に挿入されたとき）、給紙カセット側位置決め部１１１，１１２は、搬送トレイ側位置決め部１０１，１０２の『コ』字状の内部にそれぞれ挿入される。そして、給紙カセット側位置決め部１１２の後端部は、搬送トレイ側位置決め部１０２の壁部１０２ａに当接する。これにより、給紙カセット５５と搬送トレイ３１とは、互いに位置決めされる。
【００５３】
第２の実施の形態は、第１、２搬送ローラ３２Ａ，３２Ｂ，３２Ｃと、第１、２搬送ローラ３６Ａ，３６Ｂ，３６Ｃとが、互いに別々の部材に設けられている。つまり、第１、２搬送ローラ３２Ａ，３２Ｂ，３２Ｃは搬送トレイ３１に設けられ、従動ローラ３６Ａ，３６Ｂ，３６Ｃは給紙カセット５５に設けられている。このように各ローラが別々の部材に設けられてある場合、搬送力を保持するために、互いの正確なニップ位置を確保することが望ましい。本発明は、給紙カセット５５と搬送トレイ３１とを互いに直接位置決めしているので、各ローラの搬送力を保持することが可能である。
【００５４】
また、第２の実施の形態は、給紙トレイ５５又は搬送トレイ３１のいずれか一方を引き出した際には、各ローラのニップが解除される構成になっている。これにより、例えばニップ間に詰まった用紙を無理に除去する必要がなく、また、無理に除去することによる用紙の破損を防止することができる。また、給紙カセット５５と搬送トレイ３１とは、互いに直接位置決めされているので、各ローラの搬送力が保持されることが可能である。
【符号の説明】
【００５５】
５０…画像形成部
４１…用紙反転部
Ｐ２…再搬送経路
３０…再搬送部
３１…搬送トレイ
１…画像形成装置
５５…給紙カセット
７０…ハウジング（装置本体）
３２Ａ…第１搬送ローラ
３２Ｂ，３２Ｃ…第２搬送ローラ
３６Ａ，３６Ｂ，３６Ｃ…従動ローラ
７４…後側開口部
７１…前側開口部
１１１，１１２…給紙カセット側位置決め部
１０１，１０２…搬送トレイ側位置決め部
【図１】
0005564849.tif 000002
【図２】
0005564849.tif 000003
【図３】
0005564849.tif 000004
【図４】
0005564849.tif 000005
【図５】
0005564849.tif 000006
【図６】
0005564849.tif 000007
【図７】
0005564849.tif 000008